【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
請求項の番号を示す請求項タグを有する特許請求の範囲を含んでおり、実施の形態を有する特許明細書データが格納される明細書格納部と、
前記明細書格納部から特許明細書データを取得する明細書取得部と、
前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理との少なくとも一方を行う明細書解析部と、
前記明細書解析部における解析結果に基づいて特許の価値を算出する特許価値算出部と、
前記特許価値算出部が算出した特許の価値を出力する出力部と、を備え、
前記特許価値算出部は、
前記明細書解析部が算出した、ネストレベルの深さとカテゴリー展開の数との少なくとも一方を用いて、ネストレベルの深さが大きいほどより大きい値となり、カテゴリー展開の数が大きいほどより大きい値となる特許の価値を算出する、情報処理装置。
【請求項２】
請求項の番号を示す請求項タグを有する特許請求の範囲を含んでおり、実施の形態を有する特許明細書データが格納される明細書格納部と、
前記明細書格納部から特許明細書データを取得する明細書取得部と、
前記明細書取得部が取得した特許明細書データから、前記請求項タグの中の最も大きい数である請求項数を取得する処理と、前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理との少なくとも２以上の処理を行う明細書解析部と、
前記明細書解析部における解析結果に基づいて特許の価値を算出する特許価値算出部と、
前記特許価値算出部が算出した特許の価値を出力する出力部と、を備え、
前記特許価値算出部は、
前記明細書解析部が算出または取得した、請求項数とネストレベルの深さとカテゴリー展開の数との少なくとも２以上を用いて、請求項数が大きいほどより大きい値となり、ネストレベルの深さが大きいほどより大きい値となり、カテゴリー展開の数が大きいほどより大きい値となる特許の価値を算出する、情報処理装置。
【請求項３】
請求項の番号を示す請求項タグを有する特許請求の範囲を含んでおり、実施の形態を有する特許明細書データが格納される明細書格納部と、
前記明細書格納部から特許明細書データを取得する明細書取得部と、
前記明細書取得部が取得した特許明細書データから、前記請求項タグの中の最も大きい数である請求項数を取得する処理と、前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理との少なくともいずれかの処理、及び、前記明細書取得部が取得した特許明細書データから、請求項タグで特定される各請求項の文字数を算出して最小の文字数である最短請求項文字数を取得する処理を行う明細書解析部と、
前記明細書解析部における解析結果に基づいて特許の価値を算出する特許価値算出部と、
前記特許価値算出部が算出した特許の価値を出力する出力部と、を備え、
前記特許価値算出部は、
前記明細書解析部が算出または取得した、請求項数とネストレベルの深さとカテゴリー展開の数との少なくともいずれかと、最短請求項文字数とを用いて、請求項数が大きいほどより大きい値となり、ネストレベルの深さが大きいほどより大きい値となり、カテゴリー展開の数が大きいほどより大きい値となり、最短請求項文字数が小さいほどより大きい値となる特許の価値を算出する、情報処理装置。
【請求項４】
請求項の番号を示す請求項タグを有する特許請求の範囲を含んでおり、実施の形態を有する特許明細書データが格納される明細書格納部と、
前記明細書格納部から特許明細書データを取得する明細書取得部と、
前記明細書取得部が取得した特許明細書データから、前記請求項タグの中の最も大きい数である請求項数を取得する処理と、前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理との少なくともいずれかの処理、及び、前記明細書取得部が取得した特許明細書データから、前記特許請求の範囲の文字数を算出し、前記実施の形態の文字数を算出する処理を行う明細書解析部と、
前記明細書解析部における解析結果に基づいて特許の価値を算出する特許価値算出部と、
前記特許価値算出部が算出した特許の価値を出力する出力部と、を備え、
前記特許価値算出部は、
前記明細書解析部が算出または取得した、請求項数とネストレベルの深さとカテゴリー展開の数との少なくともいずれかと、特許請求の範囲の文字数と、実施の形態の文字数とを用いて、請求項数が大きいほどより大きい値となり、ネストレベルの深さが大きいほどより大きい値となり、カテゴリー展開の数が大きいほどより大きい値となり、実施の形態の文字数を特許請求の範囲の文字数で割った値が大きいほどより大きい値となる特許の価値を算出する、情報処理装置。
【請求項５】
請求項の番号を示す請求項タグを有する特許請求の範囲を含んでおり、実施の形態を有する特許明細書データが格納される明細書格納部と、
前記明細書格納部から特許明細書データを取得する明細書取得部と、
前記明細書取得部が取得した特許明細書データから、前記請求項タグの中の最も大きい数である請求項数を取得する処理と、前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理とのうち、いずれか２個の処理、前記明細書取得部が取得した特許明細書データから、前記特許請求の範囲の文字数を算出し、前記実施の形態の文字数を算出する処理、及び、前記明細書取得部が取得した特許明細書データから、請求項タグで特定される各請求項の文字数を算出して最小の文字数である最短請求項文字数を取得する処理を行う明細書解析部と、
前記明細書解析部における解析結果に基づいて特許の価値を算出する特許価値算出部と、
前記特許価値算出部が算出した特許の価値を出力する出力部と、を備え、
前記特許価値算出部は、
前記明細書解析部が算出または取得した、請求項数とネストレベルの深さとカテゴリー展開の数とのいずれか２個と、特許請求の範囲の文字数と、実施の形態の文字数と、最短請求項文字数とを用いて、請求項数が大きいほどより大きい値となり、ネストレベルの深さが大きいほどより大きい値となり、カテゴリー展開の数が大きいほどより大きい値となり、実施の形態の文字数を特許請求の範囲の文字数で割った値が大きいほどより大きい値となり、最短請求項文字数が小さいほどより大きい値となる特許の価値を算出する、情報処理装置。
【請求項６】
請求項の番号を示す請求項タグを有する特許請求の範囲を含んでおり、実施の形態を有する特許明細書データが格納される明細書格納部と、
前記明細書格納部から特許明細書データを取得する明細書取得部と、
前記明細書取得部が取得した特許明細書データから、前記特許請求の範囲の文字数を算出し、前記実施の形態の文字数を算出する処理と、前記明細書取得部が取得した特許明細書データから、請求項タグで特定される各請求項の文字数を算出して最小の文字数である最短請求項文字数を取得する処理とを行う明細書解析部と、
前記明細書解析部における解析結果に基づいて特許の価値を算出する特許価値算出部と、
前記特許価値算出部が算出した特許の価値を出力する出力部と、を備え、
前記特許価値算出部は、
前記明細書解析部が算出または取得した、特許請求の範囲の文字数と、実施の形態の文字数と、最短請求項文字数とを用いて、実施の形態の文字数を特許請求の範囲の文字数で割った値が大きいほどより大きい値となり、最短請求項文字数が小さいほどより大きい値となる特許の価値を算出する、情報処理装置。
【請求項７】
コンピュータを、
請求項の番号を示す請求項タグを有する特許請求の範囲を含んでおり、実施の形態を有する特許明細書データが格納される明細書格納部から特許明細書データを取得する明細書取得部、
前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理との少なくとも一方を行う明細書解析部、
前記明細書解析部における解析結果に基づいて特許の価値を算出する特許価値算出部、
前記特許価値算出部が算出した特許の価値を出力する出力部、として機能させ、
前記特許価値算出部は、
前記明細書解析部が算出した、ネストレベルの深さとカテゴリー展開の数との少なくとも一方を用いて、ネストレベルの深さが大きいほどより大きい値となり、カテゴリー展開の数が大きいほどより大きい値となる特許の価値を算出する、プログラム。
【請求項８】
コンピュータを、
請求項の番号を示す請求項タグを有する特許請求の範囲を含んでおり、実施の形態を有する特許明細書データが格納される明細書格納部から特許明細書データを取得する明細書取得部、
前記明細書取得部が取得した特許明細書データから、前記請求項タグの中の最も大きい数である請求項数を取得する処理と、前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理との少なくとも２以上の処理を行う明細書解析部、
前記明細書解析部における解析結果に基づいて特許の価値を算出する特許価値算出部、
前記特許価値算出部が算出した特許の価値を出力する出力部、として機能させ、
前記特許価値算出部は、
前記明細書解析部が算出または取得した、請求項数とネストレベルの深さとカテゴリー展開の数との少なくとも２以上を用いて、請求項数が大きいほどより大きい値となり、ネストレベルの深さが大きいほどより大きい値となり、カテゴリー展開の数が大きいほどより大きい値となる特許の価値を算出する、プログラム。
【請求項９】
コンピュータを、
請求項の番号を示す請求項タグを有する特許請求の範囲を含んでおり、実施の形態を有する特許明細書データが格納される明細書格納部から特許明細書データを取得する明細書取得部、
前記明細書取得部が取得した特許明細書データから、前記請求項タグの中の最も大きい数である請求項数を取得する処理と、前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理との少なくともいずれかの処理、及び、前記明細書取得部が取得した特許明細書データから、請求項タグで特定される各請求項の文字数を算出して最小の文字数である最短請求項文字数を取得する処理を行う明細書解析部、
前記明細書解析部における解析結果に基づいて特許の価値を算出する特許価値算出部、
前記特許価値算出部が算出した特許の価値を出力する出力部、として機能させ、
前記特許価値算出部は、
前記明細書解析部が算出または取得した、請求項数とネストレベルの深さとカテゴリー展開の数との少なくともいずれかと、最短請求項文字数とを用いて、請求項数が大きいほどより大きい値となり、ネストレベルの深さが大きいほどより大きい値となり、カテゴリー展開の数が大きいほどより大きい値となり、最短請求項文字数が小さいほどより大きい値となる特許の価値を算出する、プログラム。
【請求項１０】
コンピュータを、
請求項の番号を示す請求項タグを有する特許請求の範囲を含んでおり、実施の形態を有する特許明細書データが格納される明細書格納部から特許明細書データを取得する明細書取得部、
前記明細書取得部が取得した特許明細書データから、前記請求項タグの中の最も大きい数である請求項数を取得する処理と、前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理との少なくともいずれかの処理、及び、前記明細書取得部が取得した特許明細書データから、前記特許請求の範囲の文字数を算出し、前記実施の形態の文字数を算出する処理を行う明細書解析部、
前記明細書解析部における解析結果に基づいて特許の価値を算出する特許価値算出部、
前記特許価値算出部が算出した特許の価値を出力する出力部、として機能させ、
前記特許価値算出部は、
前記明細書解析部が算出または取得した、請求項数とネストレベルの深さとカテゴリー展開の数との少なくともいずれかと、特許請求の範囲の文字数と、実施の形態の文字数とを用いて、請求項数が大きいほどより大きい値となり、ネストレベルの深さが大きいほどより大きい値となり、カテゴリー展開の数が大きいほどより大きい値となり、実施の形態の文字数を特許請求の範囲の文字数で割った値が大きいほどより大きい値となる特許の価値を算出する、プログラム。
【請求項１１】
コンピュータを、
請求項の番号を示す請求項タグを有する特許請求の範囲を含んでおり、実施の形態を有する特許明細書データが格納される明細書格納部から特許明細書データを取得する明細書取得部、
前記明細書取得部が取得した特許明細書データから、前記請求項タグの中の最も大きい数である請求項数を取得する処理と、前記明細書取得部が取得した特許明細書データから、請求項タグで特定される各請求項の語尾を抽出して、「装置」「方法」「プログラム」のうち、存在する語尾の種類の数であるカテゴリー展開の数を算出する処理と、前記明細書取得部が取得した特許明細書データから、前記特許請求の範囲に含まれる請求項タグが示す番号である請求項番号を取得する請求項番号取得処理、及び、前記請求項番号取得処理で請求項番号を取得した請求項タグで特定される請求項に含まれる文字列「請求項」に後続する数字列から、当該請求項が従属している請求項番号を取得する従属関係取得処理、を行い、前記請求項番号取得処理で取得した請求項番号と、前記従属関係取得処理で取得した請求項番号とを対応付ける、請求項間の階層関係を示す階層関係管理表を取得し、当該階層関係管理表から請求項のネストレベルの深さを算出する処理とのうち、いずれか２個の処理、前記明細書取得部が取得した特許明細書データから、前記特許請求の範囲の文字数を算出し、前記実施の形態の文字数を算出する処理、及び、前記明細書取得部が取得した特許明細書データから、請求項タグで特定される各請求項の文字数を算出して最小の文字数である最短請求項文字数を取得する処理を行う明細書解析部、
前記明細書解析部における解析結果に基づいて特許の価値を算出する特許価値算出部、
前記特許価値算出部が算出した特許の価値を出力する出力部、として機能させ、
前記特許価値算出部は、
前記明細書解析部が算出または取得した、請求項数とネストレベルの深さとカテゴリー展開の数とのいずれか２個と、特許請求の範囲の文字数と、実施の形態の文字数と、最短請求項文字数とを用いて、請求項数が大きいほどより大きい値となり、ネストレベルの深さが大きいほどより大きい値となり、カテゴリー展開の数が大きいほどより大きい値となり、実施の形態の文字数を特許請求の範囲の文字数で割った値が大きいほどより大きい値となり、最短請求項文字数が小さいほどより大きい値となる特許の価値を算出する、プログラム。
【請求項１２】
コンピュータを、
請求項の番号を示す請求項タグを有する特許請求の範囲を含んでおり、実施の形態を有する特許明細書データが格納される明細書格納部から特許明細書データを取得する明細書取得部、
前記明細書取得部が取得した特許明細書データから、前記特許請求の範囲の文字数を算出し、前記実施の形態の文字数を算出する処理と、前記明細書取得部が取得した特許明細書データから、請求項タグで特定される各請求項の文字数を算出して最小の文字数である最短請求項文字数を取得する処理とを行う明細書解析部、
前記明細書解析部における解析結果に基づいて特許の価値を算出する特許価値算出部、
前記特許価値算出部が算出した特許の価値を出力する出力部、として機能させ、
前記特許価値算出部は、
前記明細書解析部が算出または取得した、特許請求の範囲の文字数と、実施の形態の文字数と、最短請求項文字数とを用いて、実施の形態の文字数を特許請求の範囲の文字数で割った値が大きいほどより大きい値となり、最短請求項文字数が小さいほどより大きい値となる特許の価値を算出する、プログラム。